(57)【要約】      （修正有）【課題】チャネル上の多重経路特性により、受信されるＶＳＢ信号の上側周波数帯域が損傷する場合にも、そのシンボルタイミングの復元を効率的に行うことができるＶＳＢ方式受信機のためのシンボルタイミングの復元装置及びその復元方法を提供する。【解決手段】ＶＳＢ変調方式で伝送されたデータのシンボルタイミングの復元を行うために、受信された信号の上側周波数帯域のみならず下側周波数帯域からＢＥＣＭアルゴリズムを用いて、シンボル位相の誤差情報を生成し、それを利用する。これにより、多重経路の特性のため上側周波数帯域が損傷した場合にも、効果的にシンボルタイミングの復元を行うことができる。また、受信した信号の上側のみならず、下側周波数帯域からシンボルタイミングの復元を行うことができるため、全体的なタイミングの復元効率が増大し、全体的に本発明のシンボルタイミングの復元装置を備える受信システムの性能劣化を防止できる。【選択図】図３
2006067594.tif 000002
【特許請求の範囲】
【請求項１】
ＶＳＢ方式で変調された信号を受信して、所定のサンプリングクロックを用いてデジタル信号に変換するＡ／Ｄ変換部と、
前記デジタル信号に変換されたＶＳＢ信号を基底帯域に遷移する乗算器と、
前記乗算器から受信した前記基底帯域ＶＳＢ信号の上側及び下側周波数帯域を相互に変えながらスペクトルを反転させるスペクトル反転部と、
前記スペクトル反転された基底帯域ＶＳＢ信号に対してＢＥＣＭアルゴリズムを行うことにより、前記受信したＶＳＢ変調信号のシンボル位相と、既に設定された基準シンボル位相の誤差である下側誤差情報を生成する下側ＢＥＣＭ部と、
前記下側ＢＥＣＭ部の下側誤差情報から低帯域信号をフィルタリングするループフィルタ部と、
前記ループフィルタでの低帯域信号に応じて前記所定のサンプリングクロックを変えるＮＣＯ部とを備えることを特徴とするＶＳＢ方式受信機のためのシンボルタイミングの復元装置。
【請求項２】
前記乗算器から受信した前記基底帯域ＶＳＢ信号に対して直接ＢＥＣＭアルゴリズムを行うことにより、前記受信したＶＳＢ変調信号のシンボル位相と既に設定された基準シンボル位相の誤差である上側誤差情報を生成する上側ＢＥＣＭ部と、
前記上側及び下側ＢＥＣＭ部での上側及び下側誤差情報に所定の加重値をそれぞれ乗算した後、それを足した最終誤差情報を前記ループフィルタ部に出力する結合部とをさらに備えることを特徴とする請求項１に記載のＶＳＢ方式受信機のためのシンボルタイミングの復元装置。
【請求項３】
前記ＢＥＣＭアルゴリズムは、ガードナー方式であることを特徴とする請求項２に記載のＶＳＢ方式受信機のためのシンボルタイミングの復元装置。
【請求項４】
前記上側ＢＥＣＭ部は、前記基底帯域ＶＳＢ信号から前記上側周波数帯域信号のハーモニック成分を生成し、前記生成された複数のハーモニック成分の中からシンボルトーンを抽出し、前記抽出したシンボルトーンを既に設定された基準シンボル位相と比較して、シンボル位相の上側誤差情報を出力することを特徴とする請求項２に記載のＶＳＢ方式受信機のためのシンボルタイミングの復元装置。
【請求項５】
前記加重値は、前記上側及び下側ＢＥＣＭ部に入力される信号の大きさに応じて決定されることを特徴とする請求項２に記載のＶＳＢ方式受信機のためのシンボルタイミングの復元装置。
【請求項６】
前記所定の加重値は、チャネル状態による前記上側及び下側誤差情報それぞれの信頼度に応じて変化することを特徴とする請求項２に記載のＶＳＢ方式受信機のためのシンボルタイミングの復元装置。
【請求項７】
前記スペクトル反転部は、前記基底帯域ＶＳＢ信号の周波数スペクトルの上側及び下側帯域を相互に変えながらスペクトルを反転させる前に、前記ＶＳＢ信号のパイロット信号を検出して除去することを特徴とする請求項１に記載のＶＳＢ方式受信機のためのシンボルタイミングの復元装置。
【請求項８】
前記スペクトル反転部の前端に備えられ、信号に対する雑音比率を向上させるため、前記基底帯域ＶＳＢ信号をフィルタリングする整合フィルタ部をさらに備えることを特徴とする請求項１に記載のＶＳＢ方式受信機のためのシンボルタイミングの復元装置。
【請求項９】
前記ＶＳＢ方式で変調された信号は、ＡＴＳＣ規格の米国式デジタル放送信号であることを特徴とする請求項１に記載のＶＳＢ方式受信機のためのシンボルタイミングの復元装置。
【請求項１０】
第１項のＶＳＢ方式受信機のためのシンボルタイミングの復元装置を使用して、受信されるＶＳＢ信号のシンボルタイミングの復元を行うことにより、ＶＳＢ方式変調信号を受信する受信機。
【請求項１１】
ＶＳＢ方式で変調された信号を受信して、所定のサンプリングクロックを用いてデジタル信号に変換する段階と、
前記デジタル信号に変換されたＶＳＢ信号を基底帯域に遷移する段階と、
前記基底帯域ＶＳＢ信号の上側及び下側周波数帯域を相互に変えながらスペクトルを反転させる段階と、
前記スペクトル反転された信号に対してＢＥＣＭアルゴリズムを行うことにより、前記受信された信号のシンボル位相と既に設定された基準シンボル位相の誤差である下側誤差情報を生成する段階と、
前記下側誤差情報に基づいて前記所定のサンプリングクロックを変える段階とを含むことを特徴とするＶＳＢ方式受信機のためのシンボルタイミングの復元方法。
【請求項１２】
前記遷移する段階の前記基底帯域ＶＳＢ信号に対して直接ＢＥＣＭアルゴリズムを行うことにより、前記受信されたＶＳＢ変調信号のシンボル位相と既に設定された基準シンボル位相の誤差である上側誤差情報を生成する段階と、  
上側及び下側誤差情報に所定の加重値をそれぞれ乗算した後、それを足した最終誤差情報を前記フィルタリングする段階に出力する段階とをさらに含むことを特徴とする請求項１１に記載のＶＳＢ方式受信機のためのシンボルタイミングの復元方法。
【請求項１３】
前記所定の加重値は、チャネル状態による前記上側及び下側誤差情報それぞれの信頼度に応じて変化することを特徴とする請求項１２に記載のＶＳＢ方式受信機のためのシンボルタイミングの復元方法。
【請求項１４】
前記反転させる段階では、前記基底帯域ＶＳＢ信号の周波数スペクトルの上側及び下側帯域を相互に変えながらスペクトルを反転させる前に、前記ＶＳＢ信号のパイロット信号を検出して除去することを特徴とする請求項１１に記載のＶＳＢ方式受信機のためのシンボルタイミングの復元方法。
【請求項１５】
前記反転させる段階以前に、信号に対する雑音比率を向上させるために、前記基底帯域ＶＳＢ信号をフィルタリングする段階をさらに含むことを特徴とする請求項１１に記載のＶＳＢ方式受信機のためのシンボルタイミングの復元方法。
【請求項１６】
ＶＳＢ方式でデジタル信号に変換された信号を基底帯域に遷移する乗算器と、
前記乗算器から受信した前記基底帯域ＶＳＢ信号の上側及び下側周波数帯域を相互に変えながらスペクトルを反転させ、前記スペクトル反転された基底帯域ＶＳＢ信号に対してＢＥＣＭアルゴリズムを行うことにより、前記受信したＶＳＢ変調信号のシンボル位相と既に設定された基準シンボル位相の誤差である下側誤差情報を生成し、前記下側誤差情報から低帯域信号をフィルタリングし、低帯域信号に応じて前記所定のサンプリングクロックを変えるタイミング復元部とを備えることを特徴とするＶＳＢ方式受信機のためのシンボルタイミングの復元装置。
【発明の詳細な説明】
【技術分野】
【０００１】
本発明は、ＶＳＢ方式受信機のためのシンボルタイミングの復元装置及びその復元方法に係り、特に、ＶＳＢ信号の上側帯域のみならず下側帯域を用いてシンボルタイミングの復元を効率的に行うことができるＶＳＢ方式受信機のためのシンボルタイミングの復元装置及びその復元方法に係る。
【背景技術】
【０００２】
ＶＳＢ（残留側波帯）変調方式により伝送されたデータを受信する受信装置において、データを復調するためには、送信装置で使用されたものと同様のクロックを生成する必要がある。これをシンボルタイミングの復元（Ｓｙｍｂｏｌ  Ｔｉｍｉｎｇ  Ｒｅｃｏｖｅｒｙ）と言う。
【０００３】
シンボルタイミングの復元方法には、送信装置からデータ伝送時、規則的に挿入するデータセグメント同期信号を利用する方法と、ＢＥＣＭ（Ｂａｎｄ  Ｅｄｇｅ  Ｃｏｍｐｏｎｅｎｔ  Ｍａｘｉｍｉｚａｔｉｏｎ）アルゴリズムを利用する方法がある。
【０００４】
ＢＥＣＭアルゴリズムは、受信したＶＳＢ変調された信号の上側周波数帯域信号のハーモニック信号であるスペクトラルラインを用いて、受信信号の位相情報を読み取り、シンボルタイミングの復元を行う。ＢＥＣＭアルゴリズムの代表的な例にはガードナー（Ｇａｒｄｎｅｒ）方式がある。
【０００５】
図１は、従来のＢＥＣＭアルゴリズムによるシンボルタイミングの復元装置のブロック図である。図１を参照するに、従来の復元装置１００は、ＡＤＣ（アナログ／デジタル変換器）１０１、混合器１０３、整合フィルタ１０５、ＢＥＣＭ部１０７、ループフィルタ１０９及びＮＣＯ（数値制御発振器）１１１を備える。
【０００６】
ＶＳＢ方式で変調され受信した信号は、ＡＤＣ１０１によりデジタル信号に変換される。混合器１０３は、第２のＮＣＯ信号を受信してデジタルに変換されたＶＳＢ信号を基底帯域信号に変換する。
【０００７】
整合フィルタ１０５によってフィルタリングされた信号よりＢＥＣＭ部１０７がシンボルクロックの誤差情報を出力し、ループフィルタ１０９は、誤差情報に対応するＮＣＯ１１１制御用電圧を出力して、ＡＤＣ１０１に入力されるシンボルクロックを調整する。
【０００８】
図２は、図１のＢＥＣＭ部の一例を示すブロック図である。図１によれば、ＢＥＣＭ部２００は、プレフィルタ２０１、非線形素子２０３、シンボルトーン抽出部２０５、及び位相検出部２０７を備える。
【０００９】
プレフィルタ２０１が、整合フィルタ（図示せず）を通過したＶＳＢ変調信号を受信して、上側周波数帯域の信号のみをフィルタリングし、非線形素子２０３は、プレフィルタ２０１から出力される信号のハーモニック成分を生成する。シンボルトーン抽出部２０５は、非線形素子２０３から生成された複数のハーモニックの中から送信装置で用いたクロックと同一周波数を有する成分であるシンボルトーンを抽出する。そして、位相検出部２０７は、抽出したシンボルトーンからの既に設定された基準シンボル位相と検出したシンボルトーン位相からのシンボルクロック（またはシンボル位相）の誤差情報を出力する。
【００１０】
このように、従来のＢＥＣＭアルゴリズムを用いるシンボルタイミングの復元装置は、受信するＶＳＢ信号の中で上側周波数帯域のみを使用した。
【００１１】
しかし、受信したＶＳＢ変調信号が伝送チャネル上で歪曲され、上側周波数帯域の信号が大きな損傷を受ける場合、前記したようなシンボルタイミング復元装置の性能が大きく劣化するという問題がある。特に、多重経路成分が多く存在する環境であるほど、上側周波数帯域の信号が損傷する可能性が高くなり、それは受信性能の劣化につながる。
【発明の開示】
【発明が解決しようとする課題】
【００１２】
本発明は、前記のような従来の問題点を解決するためになされたものであって、その目的は、シンボルタイミングの復元において、受信されるＶＳＢ信号の上側及び下側周波数帯域を用いることにより、チャネル上の多重経路特性により、受信されるＶＳＢ信号の上側周波数帯域が損傷する場合にも、そのシンボルタイミングの復元を効率的に行うことができる、ＶＳＢ方式受信機のためのシンボルタイミングの復元装置及びその復元方法を提供することである。
【課題を解決するための手段】
【００１３】
前述した目的を達成するための本発明に係るＶＳＢ方式受信機のためのシンボルタイミングの復元装置は、ＶＳＢ方式で変調された信号を受信して、所定のサンプリングクロックを用いてデジタル信号に変換するＡ／Ｄ変換部、前記デジタル信号に変換されたＶＳＢ信号を基底帯域に遷移する乗算器、前記乗算器から受信した前記基底帯域ＶＳＢ信号の上側及び下側周波数帯域を相互に変えながらスペクトルを反転させるスペクトル反転部、前記スペクトル反転された信号に対してＢＥＣＭアルゴリズムを行うことにより、前記受信された信号のシンボル位相と既に設定された基準シンボル位相の誤差である下側誤差情報を生成する下側ＢＥＣＭ部、前記下側ＢＥＣＭ部の下側誤差情報から低帯域信号をフィルタリングするループフィルタ部及び前記ループフィルタ部での低帯域信号に応じて前記所定のサンプリングクロックを変えるＮＣＯ部を備える。
【００１４】
好ましくは、前記乗算器から受信した前記基底帯域ＶＳＢ信号に対して直接ＢＥＣＭアルゴリズムを行うことにより、前記受信した信号のシンボル位相と既に設定された基準シンボル位相の誤差である上側誤差情報を生成する上側ＢＥＣＭ部及び前記上側及び下側ＢＥＣＭ部での上側及び下側誤差情報に所定の加重値をそれぞれ乗算した後、それを足した最終誤差情報を前記ループフィルタ部に出力する結合部をさらに備える。
【００１５】
好ましくは、前記ＢＥＣＭアルゴリズムは、ガードナー方式であることを特徴とする。
【００１６】
好ましくは、前記上側ＢＥＣＭ部は、前記基底帯域ＶＳＢ信号から前記上側周波数帯域信号のハーモニック成分を生成し、前記生成された複数のハーモニック成分の中からシンボルトーンを抽出し、前記抽出したシンボルトーンを既に設定された基準シンボル位相と比較して、シンボル位相の上側誤差情報を出力することを特徴とする。
【００１７】
好ましくは、前記加重値は、前記上側及び下側ＢＥＣＭ部に入力される信号の大きさに応じて決定されることを特徴とする。
【００１８】
好ましくは、前記所定の加重値は、チャネル状態による前記上側及び下側誤差情報それぞれの信頼度に応じて変化することを特徴とする。
【００１９】
好ましくは、前記スペクトル反転部は、前記基底帯域ＶＳＢ信号の周波数スペクトルの上側及び下側帯域を相互に変えながらスペクトルを反転させる前に、前記ＶＳＢ信号のパイロット信号を検出して除去することができる。
【００２０】
好ましくは、前記スペクトル反転部の前端に備えられ、信号に対する雑音比率を向上させるために、前記基底帯域ＶＳＢ信号をフィルタリングする整合フィルタ部をさらに備える。
【００２１】
好ましくは、前記ＶＳＢ方式で変調された信号は、ＡＴＳＣ規格の米国式デジタル放送信号であることを特徴とする。
【００２２】
また、本発明のＶＳＢ方式受信機のためのシンボルタイミングの復元装置を使用する受信機は、受信されるＶＳＢ信号のシンボルタイミングを復元することにより、ＶＳＢ方式変調信号を受信する。
【００２３】
また、本発明によるＶＳＢ方式受信機のためのシンボルタイミングの復元方法は、ＶＳＢ方式で変調された信号を受信して、所定のサンプリングクロックを用いてデジタル信号に変換する段階と、前記デジタル信号に変換されたＶＳＢ信号を基底帯域に遷移する段階と、前記基底帯域ＶＳＢ信号の上側及び下側周波数帯域を相互に変えながらスペクトルを反転させる段階と、前記スペクトル反転された信号に対してＢＥＣＭアルゴリズムを行うことにより、前記受信された信号のシンボル位相と既に設定された基準シンボル位相の誤差である下側誤差情報を生成する段階と、前記下側誤差情報に基づいて前記所定のサンプリングクロックを変える段階とを含む。
【００２４】
好ましくは、前記遷移する段階の前記基底帯域ＶＳＢ信号に対して直接ＢＥＣＭアルゴリズムを行うことにより、前記受信された信号のシンボル位相と既に設定された基準シンボル位相の誤差である上側誤差情報を生成する段階と、上側及び下側誤差情報に所定の加重値をそれぞれ乗算した後、それを足した最終誤差情報を前記フィルタリングする段階に出力する段階をさらに含む。
【００２５】
好ましくは、前記所定の加重値は、チャネル状態による前記上側及び下側誤差情報それぞれの信頼度に応じて変化する。
【００２６】
好ましくは、前記反転させる段階では、前記基底帯域ＶＳＢ信号の周波数スペクトルの上側及び下側帯域を相互に変えながらスペクトルを反転させる前に、前記ＶＳＢ信号のパイロット信号を検出して除去することができる。
【００２７】
好ましくは、前記反転させる段階以前に、信号に対する雑音比率を向上させるため、前記基底帯域ＶＳＢ信号をフィルタリングする段階をさらに含む。
【００２８】
また、本発明によるＶＳＢ方式受信機のためのシンボルタイミングの復元装置は、ＶＳＢ方式によってデジタル信号に変換された信号を基底帯域に遷移する乗算器と、前記乗算器から受信した前記基底帯域ＶＳＢ信号の上側及び下側周波数帯域を相互に変えながらスペクトルを反転させ、前記スペクトル反転された基底帯域ＶＳＢ信号に対してＢＥＣＭアルゴリズムを行うことによって、前記受信されたＶＳＢ変調信号のシンボル位相と既に設定された基準シンボル位相の誤差である下側誤差情報を生成し、前記下側誤差情報から低帯域信号をフィルタリングし、低帯域信号に応じて前記所定のサンプリングクロックを変えるタイミング復元部とを備える。
【発明の効果】
【００２９】
本発明によれば、受信されるＶＳＢ方式で変調された信号の下側周波数帯域を用いて、シンボルタイミングの復元を行うことにより、多重経路特性により上側周波数帯域が損傷する場合にも効果的にシンボルタイミングの復元を行うことができる。また、受信した信号の上側のみならず、下側周波数帯域からシンボルタイミングの復元を行うことができるため、全体的なタイミングの復元効率が増大し、全体的に本発明のシンボルタイミングの復元装置を備える受信システムの性能劣化を防止することができる。
【発明を実施するための最良の形態】
【００３０】
以下、添付の図面に基づいて本発明の好適な実施形態を詳述する。
【００３１】
（実施形態）
図３は、本発明によるＶＳＢ方式受信機のためのシンボルタイミング復元装置を示すブロック図である。図３を参照するに、シンボルタイミングの復元装置３００は、Ａ／Ｄ変換部３０１、乗算器３０３、整合フィルタ部３０５、及びタイミング復元部３１０を備える。
【００３２】
本発明のシンボルタイミング復元装置３００は、ＶＳＢ方式で変調された信号（以下、ＶＳＢ信号という）を受信して復調する装置に具備されることができる。
【００３３】
好ましくは、シンボルタイミングの復元装置３００は、ＡＴＳＣ（Ａｄｖａｎｃｅｄ  Ｔｅｌｅｖｉｓｉｏｎ  Ｓｙｓｔｅｍ  Ｃｏｍｍｉｔｔｅｅ）規格の８−ＶＳＢ方式を使用する米国式デジタル放送信号を受信する受信装置に備えられる。以下、８−ＶＳＢ方式の米国式デジタル放送信号を受信する場合について説明する。
【００３４】
Ａ／Ｄ変換部３０１は、シンボルタイミングの復元装置３００によってシンボルタイミング復元されたクロックを用いて受信したＶＳＢ信号をデジタル信号に変換し、乗算器３０３は、ＬＯ（局部発振器）からクロックを受けて、変換されたデジタル信号を基底帯域の信号に変換する。
【００３５】
基底帯域の信号に変換されたＶＳＢ信号は、整合フィルタ部３０５によって出力される。このような出力信号は、好ましくは、等化器（図示せず）に入力されて等化される。
【００３６】
タイミング復元部３１０は、上側ＢＥＣＭ部３１１、スペクトル反転部３１３、下側ＢＥＣＭ部３１５、結合部３１７、ループフィルタ部３１９、及びＮＣＯ部３２１を備える。
【００３７】
タイミング復元部３１０は、受信するＶＳＢ信号をサンプリングするために送信装置（図示せず）からＶＳＢ信号を生成するために使用したクロックと同一位相のクロックを生成する。
【００３８】
そのために、タイミング復元部３１０は、ＶＳＢ信号が基底帯域のデジタル信号に変換された信号（以下、基底帯域ＶＳＢ信号という）を受信する。好ましくは、基底帯域のデジタル信号として整合フィルタ部３０５を通過した信号を受信する。
【００３９】
タイミング復元部３１０は、基底帯域ＶＳＢ信号の上側周波数帯域のみならず、下側周波数帯域信号からそれぞれシンボルクロックの誤差情報を検出する。そして、それを結合してシンボルタイミングの復元に使用することによって、伝送チャネル上でＶＳＢ信号の上側周波数帯域が損傷したときにも効果的にシンボルタイミングの復元を行うことができる。
【００４０】
図４は、本発明のシンボルタイミングの復元装置で処理される基底帯域ＶＳＢ信号の周波数スペクトルを示したグラフである。図４を参照するに、（ａ）は、基底帯域ＶＳＢ信号を示すグラフである。受信された信号の帯域幅は約６ＭＨｚであり、ａ区間は上側周波数帯域を示し、ｂはパイロット信号である。
【００４１】
（ｂ）に示すグラフは、周波数スペクトルが反転された基底帯域ＶＳＢ信号である。ｃは、上側に転換された下側周波数帯域区間であり、スペクトル反転によって（ａ）グラフのパイロット信号であるｂが上側周波数帯域に移動した。
【００４２】
（ａ）に示すグラフにおいて、基底帯域ＶＳＢ信号は、上側ＢＥＣＭ部３１１に入力されて基底帯域ＶＳＢ信号の上側周波数帯域からシンボルクロックの誤差情報を生成し、（ｂ）に示すグラフにおける信号は、下側ＢＥＣＭ部３１５に入力されて、基底帯域ＶＳＢ信号の下側周波数帯域からシンボルクロックの誤差情報を生成する。
【００４３】
上側ＢＥＣＭ部３１１と下側ＢＥＣＭ部３１５は、ＢＥＣＭアルゴリズムを用いてシンボルクロックの誤差情報を生成し、代表的にガードナーアルゴリズムを用いることができる。
【００４４】
上側ＢＥＣＭ部３１１は、基底帯域ＶＳＢ信号から上側周波数帯域信号のハーモニック成分を生成し、生成された複数のハーモニックの中から送信装置（図示せず）で用いたシンボルクロックと同一位相を有する成分であるシンボルトーンを抽出し、既に設定された基準シンボル位相と比較して、シンボル位相の上側誤差情報を出力する。
【００４５】
スペクトル反転部３１３は、基底帯域ＶＳＢ信号を受信して、周波数スペクトルを反転させる。これにより、下側周波数帯域が上側周波数帯域に変わり、上側周波数帯域が下側周波数帯域に変わる。スペクトル反転部３１３の出力は、下側ＢＥＣＭ部３１５に出力される。
【００４６】
下側ＢＥＣＭ部３１５は、上側ＢＥＣＭ部３１１に対応し、同様に動作して、既に設定された基準シンボル位相と受信した下側周波数帯域から抽出したシンボルトーンの位相の誤差である下側誤差情報を出力する。ただし、下側ＢＥＣＭ部３１５に入力される信号は、基底帯域ＶＳＢ信号の周波数スペクトルを反転させた信号である。基底帯域ＶＳＢ信号の下側周波数帯域が上側周波数帯域に変換されて入力される。
【００４７】
スペクトル反転部３１３において、基底帯域ＶＳＢ信号を反転させて下側ＢＥＣＭ部３１５に入力される信号は、図４の（ｂ）に示すように、上側周波数帯域にパイロット信号を含む。パイロット信号によって下側ＢＥＣＭ部３１５から出力される下側誤差情報は、上側誤差情報より信頼性が高い情報である。そして、反転されたスペクトルに含まれたパイロット信号の影響を結合部３１７で考慮すれば良い。
【００４８】
ところが、下側ＢＥＣＭ部３１５に入力される信号からパイロット信号を除去することもできる。そうすると、結合部３１７でパイロットの影響を別途考慮する必要がなくなる場合もある。
【００４９】
また、そのために、下側ＢＥＣＭ部３１５に入力される信号からパイロット信号を除去するため、スペクトル反転部３１３が基底帯域ＶＳＢ信号からパイロット信号を検出して、基底帯域ＶＳＢ信号からそれを除去した後、周波数スペクトルを反転させることもできる。
【００５０】
結合部３１７は、上側ＢＥＣＭ部３１１及び下側ＢＥＣＭ部３１５から上側及び下側誤差情報のみを受信して、それを結合した最終誤差情報をループフィルタに出力する。結合部３１７は、上側及び下側誤差情報に適切な加重値Ｋ１、Ｋ２をそれぞれ乗算した後、それを足して最終誤差情報を生成する。
【００５１】
加重値Ｋ１、Ｋ２は、受信した基底帯域ＶＳＢ信号の上側及び下側周波数帯域の歪曲程度で表せるチャネル状況に応じて変化する値として、信頼度の高い誤差情報に対してより高い加重値を与える。よって、一般に、パイロット信号を含んで信頼度が相対的に高い下側ＢＥＣＭ部３１５から出力される下側誤差情報に対してより高い加重値を与える。
【００５２】
チャネル状況に応じて適切な加重値を与えるため、種々の方法でチャネル状況に関する情報を求めて利用することができる。たとえば、上側及び下側ＢＥＣＭ部３１１、３１５に入力される信号の大きさを測定して加重値を求めるのに利用できる。
【００５３】
ループフィルタ部３１９は、結合部３１７から出力される最終誤差情報から低帯域信号成分のみを通過させて、ＮＣＯ部３２１に出力する。
【００５４】
ＮＣＯ部３２１は、ループフィルタ部３１９から出力される低帯域成分に応じて出力周波数を変化させて、Ａ／Ｄ変換部３０１のサンプリングクロックを変える。
【００５５】
実施形態によっては、上側ＢＥＣＭ部３１１を利用せず、スペクトル反転部３１３と下側ＢＥＣＭ部３１５のみを利用することにより、基底帯域ＶＳＢ信号の下側周波数帯域のみを用いて、上側周波数帯域を用いないこともできる。
【００５６】
図５は、本発明によるＶＳＢ方式受信機のためのシンボルタイミング復元装置の動作を示すフローチャートである。
【００５７】
タイミング復元部３１０は、基底帯域に遷移されたＶＳＢ方式で変調された信号である基底帯域ＶＳＢ信号を受信する。受信した基底帯域ＶＳＢ信号は、図４（ａ）に示すグラフの周波数スペクトルを有し、上側周波数帯域は、約６ＭＨｚであり、ＡＴＳＣ規格の米国式デジタル放送の周波数帯域幅である（Ｓ５０１）。
【００５８】
上側ＢＥＣＭ部３１１は、ＢＥＣＭアルゴリズムを行い、受信した基底帯域ＶＳＢ信号から検出したシンボル位相と既に設定された基準シンボル位相の誤差である上側誤差情報を結合部３１７に出力する。そして、これと同時に、基底帯域ＶＳＢ信号は、スペクトル反転部３１３を通じて周波数スペクトルが図４（ｂ）に示すグラフのように反転されて、下側ＢＥＣＭ部３１５に入力される。
【００５９】
下側ＢＥＣＭ部３１５は、ＢＥＣＭアルゴリズムを行い、反転された基底帯域ＶＳＢ信号からシンボル位相を検出し、既に設定された基準シンボル位相との誤差である下側誤差情報を結合部３１７に出力する。
【００６０】
実施形態によっては、下側ＢＥＣＭ部３１５に入力される反転された基底帯域ＶＳＢ信号からパイロット信号成分を除去することができ、そのために、スペクトル反転部３１３からパイロット信号を検出し、それを基底帯域ＶＳＢ信号から除去することができる（Ｓ５０３）。  
生成された上側及び下側誤差情報は、結合部３１７に入力され、結合部３１７は、上側及び下側誤差情報にそれぞれ加重値Ｋ１、Ｋ２を乗算し、それを足して最終誤差情報を求める（Ｓ５０５）。
【００６１】
ループフィルタ部３１９は、結合部３１７で生成された最終誤差情報から低帯域信号成分のみを通過させてＮＣＯ部３２１に出力し、ＮＣＯ部３２１は、ループフィルタ部３１９から出力される低帯域成分に応じて出力周波数を変換させて、Ａ／Ｄ変換部３０１のサンプリングクロックを変える。
このような方法により、ＶＳＢ方式受信機のためのシンボルタイミングの復元装置の動作が行われる。
本発明は前述した特定の実施形態に限定されるものではない。実際、当業者であれば、上記の説明に基づき、特許請求の範囲に記載されている本発明の技術的範囲を逸脱することなく、本発明の実施形態に対し、種々の変更及び修正を施すことが可能であろう。従って、そのような変更及び修正は当然に、本発明の技術的範囲に含まれるべきである。
【図面の簡単な説明】
【００６２】
【図１】従来のＢＥＣＭアルゴリズムによるシンボルタイミングの復元装置のブロック図である。
【図２】図１に示すＢＥＣＭの一例を示すブロック図である。
【図３】本発明によるＶＳＢ方式受信機のためのシンボルタイミングの復元装置を示すブロック図である。
【図４】本発明のシンボルタイミングの復元装置に入力できる基底帯域ＶＳＢ信号の周波数スペクトルを示すグラフである。
【図５】本発明によるＶＳＢ方式受信機のためのシンボルタイミングの復元装置の動作を示すフローチャートである。
【符号の説明】
【００６３】
３００  タイミングの復元装置
３０１  Ａ／Ｄ変換部
３０３  乗算器
３０５  整合フィルタ部
３１０  タイミング復元部
３１１  上側ＢＥＣＭ部
３１３  スペクトル反転部
３１５  下側ＢＥＣＭ部
３１７  結合部
３１９  ループフィルタ部
３２１  ＮＣＯ部
【図１】
2006067594.tif 000003
【図２】
2006067594.tif 000004
【図３】
2006067594.tif 000005
【図４】
2006067594.tif 000006
【図５】
2006067594.tif 000007